(57)【要約】  【課題】転写ヘッドの先端縁を転写対象面に押し付けた場合に、常に転写ヘッドの先端縁全体が転写対象面に接触し、片あたり現象に起因する転写不良の発生を抑制可能な転写具を提供する。  【解決手段】転写具本体２と、テープＴを先端縁３１Ｔで折り返すように案内し且つ先端縁３１Ｔを転写対象面Ｐに接触させることによって転写物を転写対象面Ｐに転写する転写ヘッド３とを具備してなり、転写ヘッド３のうち先端縁３１Ｔを一体に有するヘッド本体３１が、テープＴの巾方向に首振動作可能なものであり、首振動作の中心軸である首振軸Ａを先端縁３１Ｔから基端側に変位した位置に設定した。【選択図】図６
2008265065.tif 000002
【特許請求の範囲】
【請求項１】
テープの片面に剥離可能に添着した転写物を紙面等の転写対象面に転写するための転写具であって、
転写具本体と、前記テープを先端縁で折り返すように案内し且つ当該先端縁を前記転写対象面に接触させることによって前記転写物を転写対象面に転写する転写ヘッドとを具備してなり、
当該転写ヘッド全体又は転写ヘッドのうち前記先端縁を一体に有するヘッド本体が、前記テープの巾方向に首振動作可能なものであり、当該首振動作の中心軸である首振軸を前記先端縁から基端側に変位した位置に設定していることを特徴とする転写具。
【請求項２】
前記転写ヘッドを標準的な転写姿勢である前記転写対象面に対して傾斜させた姿勢で保持した場合に、当該転写ヘッド全体又は前記ヘッド本体が前記転写対象面に略直交する仮想面に沿って首振動作するようにしている請求項１記載の転写具。
【請求項３】
前記テープの巾方向に首振動作可能な前記転写ヘッド全体又は前記ヘッド本体である首振部材を、当該首振部材の軸線方向と、首振部材を首振可能に支持する支持部材の軸線方向とを略一致させた中立位置に自己復帰させるための弾性付勢機構を備えている請求項１又は２記載の転写具。
【請求項４】
前記弾性付勢機構が、前記首振部材を前記中立位置に位置付けた場合に、前記首振部材の両側縁にそれぞれ当接又は近接し、前記首振部材が前記テープの巾方向に首振動作した場合に、前記首振部材に押圧され中立位置へ復帰させる付勢力を蓄積しながら弾性変形する一対の弾性変形部を備えたものである請求項３記載の転写具。
【請求項５】
前記弾性変形部が、前記支持部材に一体に設けたものである請求項５記載の転写具。
【請求項６】
前記テープの巾方向に首振動作可能な前記転写ヘッド全体又は前記転写ヘッドのうち前記ヘッド本体である首振部材が、前記先端縁を前記転写対象面に押し付けた場合に、前記首振部材を首振可能に支持する支持部材に設けた略部分円弧状の被押圧面を押圧可能な略部分円弧状の押圧面を有する押圧部を備えたものであり、当該押圧部が前記押圧面を前記被押圧面に案内させながら円弧状の軌跡に沿ってスライド移動することによって、前記首振部材が首振動作するようにしている請求項１、２、３、４又は５記載の転写具。
【請求項７】
前記転写ヘッドが、前記ヘッド本体と、当該ヘッド本体を前記転写具本体に取り付けるためのヘッド取付部とを備えたものであり、
前記首振部材が前記ヘッド本体であるとともに、前記支持部材が前記ヘッド取付部である請求項３、４、５又は６記載の転写具。
【請求項８】
前記首振部材が前記転写ヘッド全体であるとともに、前記支持部材が前記転写具本体である請求項３、４、５又は６記載の転写具。
【発明の詳細な説明】
【技術分野】
【０００１】
本発明は、転写具に関するものである。
【背景技術】
【０００２】
従来より、テープの片面に剥離可能に添着した転写物を紙面等の転写対象面に転写するための転写具として、転写具本体に対して転写ヘッドをその軸線回りに回転可能に取り付け、転写作業時における転写具本体の傾きを転写ヘッドの軸線回りの回動によって吸収し、転写ヘッドの先端縁全体が転写対象面に接触し得るようにした態様が知られている（例えば特許文献１参照）。
【特許文献１】実用新案登録第２６０７７２５号公報
【発明の開示】
【発明が解決しようとする課題】
【０００３】
しかしながら、転写具本体に対して転写ヘッドをその軸線回りにのみ回転可能に取り付けたものである場合、転写作業時における転写具本体の傾きを転写ヘッドの軸線回りの回動によって吸収できるものの、転写具本体に対する転写ヘッドの軸線方向は変化しないため、先端縁を転写対象面に押し付けた際に、先端縁の片側だけが転写対象面に接触して、もう一方の側が転写対象面から浮いた状態となり、当該浮いた側の先端縁を経由する転写物を転写対象面に転写できないという現象や、或いはヘッドの先端縁全体が転写対象面に接しているものの、当該先端縁の一方の側と他方の側とにおいて転写対象面に対する圧力が均等ではない状態となり、先端縁を経由する転写物を転写対象面に転写できるものの、当該転写物が転写対象面から容易に剥離されるという現象が生じる。このようないわゆる「片あたり」現象が生じた場合、転写具本体の保持姿勢を変えずにそのまま押付力を付与し続けても片あたり現象は解消されず、転写不良を招来する。
【０００４】
このように、従来の転写具は、転写ヘッドの先端縁を転写対象面に押し付けた際に、片あたり現象が生じた場合には、転写具本体の保持姿勢を、転写ヘッドの先端縁全体が転写対象面に当たる姿勢に意識的に姿勢変更しなければならず、操作性及び実用性に劣るという不具合が生じる。
【０００５】
本発明は、このような課題に着目してなされたものであって、主たる目的は、転写ヘッドの先端縁を転写対象面に押し付けた場合に、常に転写ヘッドの先端縁全体が転写対象面に接触し、且つ転写対象面に対する先端縁全体の圧力を略均等となるようにすることによって、片あたり現象に起因する転写不良の発生を防止する転写具を提供することにある。
【課題を解決するための手段】
【０００６】
すなわち、本発明の転写具は、テープの片面に剥離可能に添着した転写物を紙面等の転写対象面に転写するためのものであって、転写具本体と、前記テープを先端縁で折り返すように案内し且つ当該先端縁を前記転写対象面に接触させることによって前記転写物を転写対象面に転写する転写ヘッドとを具備してなり、当該転写ヘッド全体又は転写ヘッドのうち前記先端縁を一体に有するヘッド本体が、前記テープの巾方向に首振動作可能なものであり、当該首振動作の中心軸である首振軸を前記先端縁から基端側に変位した位置に設定していることを特徴とする。
【０００７】
ここで、本発明における首振動作可能な部材が、「転写ヘッド全体」又は「転写ヘッドのうち前記先端縁を一体に有するヘッド本体」の何れであっても構わないことは上記文言上からも明白である。また、首振動作可能な部材が「転写ヘッドのうち前記先端縁を一体に有するヘッド本体」である場合、ヘッド本体の先端縁が、すなわち転写ヘッドの先端縁である。
【０００８】
このようなものであれば、先端縁を転写対象面に押し付けた際に、上述したいわゆる「片あたり」現象が生じ得る場合であっても、転写具本体の保持姿勢を変えることなくそのまま押付力を付与し続けることにより、「転写ヘッド全体」又は「転写ヘッドのうち前記先端縁を一体に有するヘッド本体」が、先端縁を転写対象面に対して略平行となるようにテープの巾方向に首振動作し、先端縁全体を転写対象面に接触させることができるとともに、先端縁全体を略均一な圧力で転写対象面に押し当てることができる。その結果、片あたり現象が生じず、転写作業を好適に行うことができる。
【０００９】
このように、本発明の転写具は、転写具本体に対する「転写ヘッド全体」又は「転写ヘッドのうち先端縁を一体に有するヘッド本体」の軸線方向が変化可能なものであり、転写ヘッドを軸線回りにのみ回転可能に構成した従来の転写具では解決できなかった片あたり現象の発生を防止し、転写不良を招来し難い実用性に富むものとなる。
【００１０】
しかも、首振軸を転写ヘッドの先端縁から基端側に変位した位置に設定しているため、ヘッド本体の首振軸をヘッド本体の先端縁に設定した態様と比較して、先端縁が回動自由端となり、先端縁を転写対象面に一旦押し付けた状態で転写具を転写方向にスライド移動させる際に、先端縁側が転写対象面にならうように積極的に回動する。したがって、先端縁を転写対象面に一旦押し付けた状態で転写具を転写方向にスライド移動させる際に、使用者が直接把持する転写具本体側を積極的に回動させる必要がなく、転写具本体の姿勢を使用者が意識せずとも、転写ヘッドの先端縁全体を転写対象面に接触させることができ、操作性に優れたものとなる。
【００１１】
特に、前記転写ヘッドを標準的な転写姿勢である前記転写対象面に対して傾斜させた姿勢で保持した場合に、当該転写ヘッド全体又は前記ヘッド本体が前記転写対象面に略直交する仮想面に沿って首振動作するようにすれば、ヘッド本体を標準的な転写姿勢で保持した場合に、首振軸が転写対象面に対して略平行となり、転写作業時に、転写対象面の傾斜や手首の返し等によって転写対象面と転写ヘッドの先端縁との平行関係が崩れ得る場合であっても、「転写ヘッド全体」又は「転写ヘッドのうち前記先端縁を一体に有するヘッド本体」が、転写対象面に対して略平行な首振軸を中心にスムーズに首振動作するため、先端縁と転写対象面との平行関係を維持することができ、先端縁全体を転写対象面に常に安定した状態で接触させることできる。
【００１２】
また、前記テープの巾方向に首振動作可能な前記転写ヘッド全体又は前記ヘッド本体である首振部材を、当該首振部材の軸線方向と、首振部材を首振可能に支持する支持部材の軸線方向とを略一致させた中立位置に自己復帰させるための弾性付勢機構を備えていれば、次の転写作業を行う場合や、不使用時に転写ヘッドをヘッドキャップで被覆する場合に、転写ヘッドを摘んで中立位置に戻すといった外部操作が不要となる。
【００１３】
弾性付勢機構の好適な実施態様としては、前記首振部材を前記中立位置に位置付けた場合に、前記首振部材の両側縁にそれぞれ当接又は近接し、前記首振部材が前記テープの巾方向に首振動作した場合に、前記首振部材に押圧され中立位置へ復帰させる付勢力を蓄積しながら弾性変形する一対の弾性変形部を備えた態様が挙げられる。このようなものであれば、簡単な構成で弾性付勢機構を実現することができ、首振動作させる操作力が停止した場合に、弾性変形部の前記付勢力により首振部材を中立位置に的確に自己復帰させることができる。しかも、首振部材を中立位置に位置付けた場合に、一対の弾性変形部が首振部材の両側縁にそれぞれ当接又は近接するため、首振部材の不要な首振動作を抑制し、首振部材を中立位置に安定した状態で保持することができる。
【００１４】
この場合、前記弾性変形部が、前記支持部材に一体に設けたものであれば、部品点数の簡素化を有効に図ることができるとともに、弾性変形部が支持部材とは別体である態様と比較して、弾性支持部を支持部材に組み付ける作業を省くことができ、組立工数の簡略化にも資する。
【００１５】
さらに、前記テープの巾方向に首振動作可能な前記転写ヘッド全体又は前記転写ヘッドのうち前記ヘッド本体である首振部材が、前記先端縁を前記転写対象面に押し付けた場合に、前記首振部材を首振可能に支持する支持部材に設けた略部分円弧状の被押圧面を押圧可能な略部分円弧状の押圧面を有する押圧部を備えたものであり、当該押圧部が前記押圧面を前記被押圧面に案内させながら円弧状の軌跡に沿ってスライド移動することによって、前記首振部材が首振動作するようにしていれば、首振部材の首振動作が安定したものとなり、スムーズな首振動作を実現できる。
【００１６】
好適な実施態様としては、前記転写ヘッドが、前記ヘッド本体と、当該ヘッド本体を前記転写具本体に取り付けるためのヘッド取付部とを備えたものであり、前記首振部材が前記ヘッド本体であるとともに、前記支持部材が前記ヘッド取付部である態様や、前記首振部材が前記転写ヘッド全体であるとともに、前記支持部材が前記転写具本体である態様が挙げられる。
【発明の効果】
【００１７】
以上説明したように本発明によれば、転写ヘッドの先端縁を転写対象面に押し付けた場合に、常に転写ヘッドの先端縁全体が転写対象面に接触し、しかも、転写対象面に対する先端縁全体の押し付け力が略均等となり、片あたり現象に起因する転写不良の発生を防止することができる。
【発明を実施するための最良の形態】
【００１８】
以下、本発明の一実施形態を、図面を参照して説明する。
【００１９】
本実施形態に係る転写具１は、図１〜図３に示すように、テープＴの片面に剥離可能に添着した修正剤等の転写物を紙面等の転写対象面Ｐに転写するためのものであり、転写具本体２と、転写具本体２に取り付けた転写ヘッド３とを備えたものである。なお、図１〜３では、テープＴ及び転写ヘッド３を被覆し得るヘッドキャップＨＣを透明体のものとして示している。
【００２０】
転写具本体２は、半割構造をなす第１半ケース２１及び第２半ケース２２を備え、これら半ケース２１、２２同士を着脱可能に組み付けたものである（図３参照）。本実施形態では、第１半ケース２１に、繰出リールＲ１、巻取リールＲ２、及び繰出リールＲ１の回転を巻取リールＲ２に伝達するための図示しないリール伝動機構（例えば巻取リールＲ２と繰出リールＲ１との間に掛け渡したベルト）を保持させている。
【００２１】
転写ヘッド３は、図４〜図７に示すように、先端縁３１ＴでテープＴを折り返すように案内するヘッド本体３１と、ヘッド本体３１を転写具本体２に取り付けるためのヘッド取付部３２とを備えたものである。そして、図８及び図９に示すように、ヘッド本体３１が、ヘッド取付部３２に対してテープＴの巾方向に首振動作するようにしたものである。すなわち、ヘッド本体３１が本発明の「首振部材」として機能するものであり、ヘッド取付部３２が本発明の「支持部材」として機能するものである。なお、ヘッド本体３１の先端縁３１Ｔが、転写ヘッド３全体の先端縁３１Ｔであることは言及するまでもない。
【００２２】
なお、図４は、転写ヘッド３を標準的な転写姿勢に保持した状態、具体的には紙面等の転写対象面Ｐに対して所定角度（例えば略４５度）傾斜させた姿勢に保持した状態を示すものであり、以下の説明における転写ヘッド３の「前」「後」「上」「下」方向は、それぞれ図４に示すＦ方向、Ｂ方向、Ｈ方向、Ｌ方向を指す。
【００２３】
ヘッド本体３１は、折り返し前のテープＴを案内する第１案内面３１１ａ及び折り返し後のテープＴを案内する第２案内面３１１ｂを有する本体部３１１と、本体部３１１の基端側における巾方向中央部位から上方に延出し、且つ転写ヘッド３の先端縁３１Ｔを転写対象面Ｐに押し付けた場合に後述するヘッド取付部３２の部分円弧状の被押圧面（上壁部３２２ｂの下向面３２２ｂＹ）を押圧し得る押圧部３１２と、押圧部３１２からさらに上方に延出し、且つヘッド取付部３２からの抜落を防止する抜止部３１３とを備えたものである。
【００２４】
本体部３１１の後向面に形成した第１案内面３１１ａと、本体部３１１の前向面に形成した第２案内面３１１ｂは、先端縁３１Ｔ（下縁）において相互に連続し、且つ上方に向かって相互に漸次離間する所定の角度で延びるものである。本実施形態では、第２案内面３１１ｂの両側縁に、他の部位よりも前方に突出し、且つテープＴの側縁が近接又は当接し得る側方補助ガイド部３１１ｃを設けている。また、本体部３１１は、第２案内面３１１ｂの上端部から第１案内面３１１ａの上端部に向かって延びる段部３１１ｄと、段部３１１ｄの後端部から上方に向かって延びる第１起立面３１１ｅと、第１案内面３１１ａの上端部から第１起立面３１１ｅと略平行をなして対向する第２起立面３１１ｆとを備えている。本実施形態では、本体部３１１の基端縁３１１ｇを、巾方向中央部から両側縁に向かって漸次下方に傾斜させている。
【００２５】
押圧部３１２は、本体部３１１の基端縁３１１ｇにおける巾方向中央部位から上方に突出し、部分円弧状をなす上向面が本発明の「押圧面３１２ａ」として機能するものである。押圧部３１２は、本体部３１１と一体に成形され、押圧面３１２ａの円弧の中心点Ｘを本体部３１１の基端縁３１１ｇ近傍、換言すればヘッド本体３１の先端縁３１Ｔから離れた位置に設定している。
【００２６】
抜止部３１３は、押圧面３１２ａの前後方向略中央部からさらに上方に延出し、後述するヘッド取付部３２の挿入孔３２２ｃに挿入可能な挿入部３１３ａと、挿入部３１３ａの上端部に設けられ挿入孔３２２ｃに引っ掛かり得るフック部３１３ｂとを備えたものである。フック部３１３ｂは、挿入部３１３ａの上端部から前方及び後方に向かって延出し、下向面３１３ｃを部分円弧状にしたものである。この円弧の中心を、押圧面３１２ａの円弧の中心点Ｘと略一致させている。なお、本実施形態では、各フック部３１３ｂを、下向面３１３ｃから上方に向かって漸次厚み寸法を小さくしたテーパ状にしている。
【００２７】
本実施形態のヘッド本体３１は、本体部３１１、押圧部３１２及び抜止部３１３を一体に成形したものである。
【００２８】
一方、ヘッド取付部３２は、転写具本体２に設けた支持軸２Ａ（図１〜図３参照）が挿入可能な支持軸挿入孔３２１ａを有する取付部本体３２１と、ヘッド本体３１を支持するヘッド本体支持部３２２とを備えたものである。本実施形態では、取付部本体３２１及びヘッド本体支持部３２２を一体に成形している。
【００２９】
取付部本体３２１は、概略角柱状をなし、基端部に支持軸挿入孔３２１ａを形成したものである。本実施形態では、この支持軸挿入孔３２１ａに転写具本体２の支持軸２Ａを挿入した状態において、ヘッド取付部３２が転写具本体２に対して軸線回りに回動し得るように設定している。
【００３０】
ヘッド本体支持部３２２は、図４〜図１１等に示すように、下方に開口し且つヘッド本体３１の本体部３１１のうち基端側の領域を収容し得る収容部３２２ａと、収容部３２２ａの上壁部３２２ｂを厚肉方向に貫通し且つヘッド本体３１の抜止部３１３が挿入可能な挿入孔３２２ｃとを備えている。挿入孔３２２ｃは、下方に向かって漸次開口寸法を大きくしたテーパ状をなし、当該挿入孔３２２ｃに対する抜止部３１３の挿入作業を容易に行えるようにしている。そして、挿入孔３２２ｃの下方から抜止部３１３を挿入し、当該抜止部３１３のフック部３１３ｂを上壁部３２２ｂの上向面３２２ｂＸに引っ掛けて支持させることにより、ヘッド本体３１をヘッド取付部３２に抜落不能に取り付けることができる。本実施形態では、上壁部３２２ｂの上向面３２２ｂＸ及び下向面３２２ｂＹを部分円弧状にしている。これら上壁部３２２ｂの上向面３２２ｂＸ及び下向面３２２ｂＹの円弧の中心点を、押圧面３１２ａの円弧の中心点Ｘと略一致させ、ヘッド本体３１をヘッド取付部３２に抜落不能に取り付けた取付状態において、押圧面３１２ａ、フック部３１３ｂの下向面３１３ｃ、上壁部３２２ｂの上向面３２２ｂＸ及び下向面３２２ｂＹの各円弧の中心点が略一致し得るようにしている。そして、前記取付状態において、押圧面３１２ａ又はフック部３１３ｂの下向面３１３ｃの少なくとも何れか一方と、上壁部３２２ｂの上向面３２２ｂＸ又は下向面３２２ｂＹの少なくとも何れか一方とが相互に当接し、ヘッド本体３１が前記中心点Ｘを首振軸ＡとしてテープＴの巾方向に首振動作するものとなる。なお、本実施形態では、転写ヘッド３の先端縁３１Ｔを転写対象面Ｐに押し付けた場合に、押圧面３１２ａが上壁部３２２ｂの下向面３２２ｂＹに当接し（図１０参照）、転写ヘッド３の先端縁３１Ｔを転写対象面Ｐから離間させた場合に、転写ヘッド３の自重によりフック部３１３ｂの下向面３１３ｃが上壁部３２２ｂの上向面３２２ｂＸに当接し得るようにしている（図７参照）。すなわち、上壁部３２２ｂの下向面３２２ｂＹが、転写ヘッド３の先端縁３１Ｔを転写対象面Ｐに押し付けた場合に押圧部３１２の押圧面３１２ａに押圧される本発明の「被押圧面」として機能する。一方、上壁部３２２ｂの上向面３２２ｂＸが抜止部３１３を支持する支持面として機能する。
【００３１】
また、本実施形態では、図６、図８及び図９に示すように、ヘッド本体支持部３２２の先端部位を先端に向かって漸次巾寸法を小さく設定した略Ｖ字状に形成し、ヘッド取付部３２に対して首振動作するヘッド本体３１が、ヘッド本体支持部３２２の先端部と干渉することを回避している。なお、上壁部３２２ｂの上方には、前方及び上方に開口した開口部３２２ｄを形成し、ヘッド本体３１をヘッド取付部３２に取り付けた状態において、抜止部３１３の上端部を開口部３２２ｄ内に位置付けている。さらに、ヘッド本体支持部３２２の両側縁部に、他の領域より上方及び下方にそれぞれ突出した上方突出部３２２ｅ及び下方突出部３２２ｆを設け、これら上方突出部３２２ｅ及び下方突出部３２２ｆにより転写作業時にテープＴが巾方向に抜け外れることを防止している。ヘッド本体支持部３２２の両側面には、ヘッドキャップＨＣに形成した凹部に弾性係合可能な外方突出部３２２ｇを設けている。
【００３２】
しかして、本実施形態に係る転写具１は、図１０に示すように、ヘッド本体３１を、転写対象面Ｐに対して傾斜させた姿勢である標準的な転写姿勢に保持した場合に、転写ヘッド３の先端縁３１Ｔから離れた部位に設定した首振軸Ａが転写対象面Ｐと略平行となり、転写ヘッド３が転写対象面Ｐに略直交する仮想面Ｖに沿って首振軸Ａを中心に首振動作するようにしている。このヘッド本体３１は、その軸線方向３１Ａとヘッド取付部３２の軸線方向３２Ａとを略一致させた中立位置（Ｎ）（図６及び図１１参照）と、この中立位置（Ｎ）からヘッド取付部３２に対して時計回り又は反時計回りに回動した第１首振位置（Ｓ１）（図８及び図１２参照）及び第２首振位置（Ｓ２）（図９及び図１３参照）との間で首振動作可能なものである。
【００３３】
また、本実施形態に係る転写具１は、ヘッド取付部３２に対して首振動作可能なヘッド本体３１を、中立位置（Ｎ）に自己復帰させるための弾性付勢機構４を備えている。
【００３４】
弾性付勢機構４は、ヘッド本体３１を中立位置（Ｎ）に位置付けた場合に、ヘッド本体３１の側縁に当接又は近接し、ヘッド本体３１が首振動作した場合に、ヘッド本体３１に押圧され中立位置（Ｎ）へ復帰させる付勢力を蓄積しながら弾性変形する弾性変形部４１を備えたものである。本実施形態では、弾性変形部４１をヘッド取付部３２に一体に形成している。具体的には、図１１〜図１３に示すように、前記収容部３２２ａの両側壁部３２２ｈの外向面側に外側方に開口する第２開口部３２２ｉをそれぞれ形成し、各第２開口部３２２ｉの上壁部３２２ｊから下方に垂下させてなる垂下片を弾性変形部４１として機能させている。各弾性変形部４１の下端部は自由端となっており、ヘッド本体３１が中立位置（Ｎ）にある場合に、弾性変形部４１の下端部近傍部位にヘッド本体３１の本体部３１１のうち基端縁３１１ｇ近傍が当接又は近接し得るように設定している。そして、ヘッド本体３１が中立位置（Ｎ）から第１首振位置（Ｓ１）又は第２首振位置（Ｓ２）へ回動した場合に、何れか一方の弾性変形部４１がヘッド本体３１に押圧され中立位置（Ｎ）へ復帰させる付勢力を蓄積しながら弾性変形するとともに、ヘッド本体３１の先端縁３１Ｔを転写対象面Ｐから離間した場合に、弾性変形部４１が弾性復帰しながら蓄積した付勢力によりヘッド本体３１を中立位置（Ｎ）へ押し戻す。なお、本実施形態では、ヘッド本体３１を中立位置（Ｎ）から第１首振位置（Ｓ１）又は第２首振位置（Ｓ２）へ回動させた際に、本体部３１１の基端縁３１１ｇがヘッド本体支持部３２２の側壁部３２２ｈに当たることによってヘッド本体３１のそれ以上同一方向への回動を規制している（図１２及び図１３参照）。
【００３５】
次にこのような転写ヘッド３に着目しながら転写具１の操作方法及び作用について説明する。
【００３６】
転写ヘッド３を前記標準的な転写姿勢に保持した状態でヘッド本体３１の先端縁３１Ｔを転写対象面Ｐに押し当てる。なお、ヘッド本体３１の先端縁３１Ｔを転写対象面Ｐに押し当てる直前までヘッド本体３１は弾性付勢機構４の作用により中立位置（Ｎ）に位置付けられている。そして、転写対象面Ｐにヘッド本体３１の先端縁３１Ｔを押し当てた際、転写対象面Ｐの若干の傾きや転写具本体２の保持姿勢等によって、ヘッド本体３１の先端縁３１Ｔが転写対象面Ｐに対して平行にならず、ヘッド本体３１の先端縁３１Ｔの片側だけが転写対象面Ｐに当たり得る場合には、転写ヘッド３が、先端縁３１Ｔから離間した位置に設定した首振軸Ａを中心に中立位置（Ｎ）から第１首振位置（Ｓ１）又は第２首振位置（Ｓ２）に向かってテープＴの巾方向に回動する。具体的には、転写ヘッド３の先端縁３１Ｔを転写対象面Ｐに押し付けた操作力に基づいて、前記押圧部３１２の押圧面３１２ａが、被押圧面である前記上壁部３２２ｂの下向面３２２ｂＹを押圧した状態で当該下向面３２２ｂＹに案内され、押圧部３１２が首振軸Ａを中心に円弧状の軌跡に沿ってスライド移動する。その結果、ヘッド本体３１の先端縁３１Ｔが転写対象面Ｐに対して略平行となる位置まで首振りし、先端縁３１Ｔ全体が転写対象面Ｐに水平に接した状態で押し付けられる。そして、転写ヘッド３の先端縁３１Ｔ全体を転写対象面Ｐに押し付けた状態で、転写具１を所定の転写方向に沿ってスライド移動させることによって繰出リールＲ１に巻回しているテープＴを引き出し、この引出操作力により繰出リールＲ１が回転し、繰出リールＲ１の回転動作により前記リール伝動機構を介して巻取リールＲ２を回転させる。そして、テープＴが転写ヘッド３の先端縁３１Ｔを折り返す際に、テープＴの片面に添着した転写物が転写対象面Ｐに転写される。通常、転写具１を任意の転写方向に沿ってスライド移動させて転写作業を行う場合、転写ヘッド３の先端縁３１Ｔを転写対象面Ｐに押し付ける操作力を付与し続けると、転写対象面Ｐ自体が若干傾斜している場合や手首の返し等により転写ヘッド３の先端縁３１Ｔの片側のみが転写対象面Ｐに優先的に当たって、もう一方の側が転写対象面Ｐから浮いた状態となり、浮いた側の先端縁３１Ｔを経由する転写物を転写対象面Ｐに転写できないという現象や、先端縁３１Ｔ全体が転写対象面Ｐに接触するものの、先端縁３１Ｔの片側ともう一方の側とで転写対象面Ｐに対する圧力が異なるために転写対象面Ｐに転写した転写物が剥離され易いといった現象（いわゆる片あたり現象）が生じ得る。しかしながら、本実施形態の転写ヘッド３は、ヘッド本体３１がヘッド取付部３２に対してテープＴの巾方向に首振動作するものであるため、転写ヘッド３の先端縁３１Ｔを転写対象面Ｐに押し付ける操作力を付与し続けることによって、ヘッド本体３１が、その先端縁３１を転写対象面Ｐに対して略平行となるように首振軸Ａを中心に首振りし、転写ヘッド３の先端縁３１Ｔ全体を常に転写対象面Ｐに押し当てることができるとともに、先端縁３１Ｔ全体を略均一な圧力で転写対象面に押し当てることができる。
【００３７】
また、転写ヘッド３の先端縁３１Ｔを転写対象面Ｐに押し付ける操作力を停止した場合、すなわち、転写ヘッド３の先端縁３１Ｔを転写対象面Ｐから離間させた場合に、前記弾性付勢機構４の作用により、転写ヘッド３が中立位置（Ｎ）に自己復帰する。
【００３８】
このように、本実施形態に係る転写具１は、ヘッド本体３１がテープＴの巾方向に首振動作可能なものであるため、ヘッド本体３１の先端縁３１Ｔを転写対象面Ｐに押し付けた場合に、ヘッド本体３１が、その先端縁３１を転写対象面Ｐに対して略平行となるように首振動作することにより、先端縁３１全体を転写対象面Ｐに略均等に押圧することができ、片あたり現象に起因する転写不良の発生を防止することができる。しかも、首振軸Ａを先端縁３１Ｔから基端側に変位した位置に設定しているため、ヘッド本体３１の先端縁３１Ｔが回動自由端となり、先端縁３１Ｔを転写対象面Ｐに一旦押し付けた状態で転写具１を転写方向にスライド移動させる際に、ヘッド本体３１の先端縁３１側が転写対象面Ｐにならうように積極的に回動する。したがって、先端縁３１Ｔを転写対象面Ｐに一旦押し付けた状態で転写具１を転写方向にスライド移動させる際に、使用者が直接把持する転写具本体２側を積極的に回動させる必要がなく、転写具本体２の姿勢を使用者が意識せずとも、ヘッド本体３１の先端縁３１Ｔ全体を転写対象面Ｐに接触させることができ、操作性及び実用性に優れたものとなる。
【００３９】
特に、転写ヘッド３を標準的な転写姿勢である転写対象面Ｐに対して傾斜させた姿勢で保持した場合に、ヘッド本体３１が転写対象面Ｐに略直交する仮想面Ｖに沿って首振動作するようにしているため、ヘッド本体３１を標準的な転写姿勢に保持した状態で転写作業を行うことにより、首振軸Ａが転写対象面Ｐに対して略平行となり、ヘッド本体３１を、その先端縁３１Ｔが転写対象面Ｐに対して平行となるように転写対象面Ｐに略直交する仮想面Ｖ内でスムーズに首振動作させることができ、先端縁３１Ｔ全体を転写対象面Ｐに的確に接触させることが可能である。
【００４０】
さらに、ヘッド本体３１を中立位置（Ｎ）に自己復帰させるための弾性付勢機構４を備えているため、ヘッド本体３１が首振りした状態のままで中立位置（Ｎ）に自己復帰しない態様と比較して、次の転写作業を行う場合や、不使用時に転写ヘッド３をヘッドキャップＨＣで被覆する場合に、使用者が逐一ヘッド本体３１を摘んで中立位置（Ｎ）に戻す必要がなく、使い勝手に優れたものとなる。
【００４１】
加えて、弾性付勢機構４が、ヘッド本体３１を中立位置（Ｎ）に位置付けた場合に、ヘッド本体３１の両側縁にそれぞれ当接又は近接し、ヘッド本体３１がテープＴの巾方向に首振動作した場合に、ヘッド本体３１に押圧され中立位置（Ｎ）へ復帰させる付勢力を蓄積しながら弾性変形する一対の弾性変形部４１を備えたものであるため、簡単な構成で弾性付勢機構４を実現することができるとともに、ヘッド本体３１の先端縁３１Ｔを転写対象面Ｐに押し付ける操作力を停止した場合に、弾性変形部４１の前記付勢力によりヘッド本体３１を中立位置（Ｎ）に的確に自己復帰させることができる。しかも、ヘッド本体３１を中立位置（Ｎ）に位置付けた場合に、一対の弾性変形部４１がヘッド本体３１の両側縁にそれぞれ当接又は近接するため、不使用時におけるヘッド本体３１の不要な首振動作を抑制し、ヘッド本体３１を中立位置（Ｎ）に安定した状態で保持することができる。
【００４２】
本実施形態では、弾性変形部４１がヘッド取付部３２に一体に設けたものであるため、部品点数の簡素化を有効に図ることができるとともに、組立工数の簡略化にも資する。
【００４３】
また、テープＴの巾方向に首振動作可能なヘッド本体３１が、先端縁３１Ｔを転写対象面Ｐに押し付けた場合に、ヘッド本体３１を首振可能に支持するヘッド取付部３２に設けた略部分円弧状の被押圧面（上壁部３２２ｂの下向面３２２ｂＹ）を押圧可能な略部分円弧状の押圧面３１２ａを有する押圧部３１２を備えたものであり、この押圧部３１２が押圧面３１２ａを被押圧面（上壁部３２２ｂの下向面３２２ｂＹ）に案内させながら円弧状の軌跡に沿ってスライド移動することによって、ヘッド本体３１が首振動作するようにしているため、ヘッド本体３１の首振動作の安定性が向上し、スムーズな首振動作を実現できる。
【００４４】
なお、本発明は、以上に詳述した実施形態に限られるものではない。
【００４５】
例えば、前記実施形態では、転写ヘッドが、ヘッド本体とヘッド取付部とを備え、ヘッド本体を首振動作可能な「首振部材」として機能させ、ヘッド取付部を首振部材を支持する「支持部材」として機能させる態様を例示したが、これに限らず、転写ヘッド全体が転写具本体に対して首振動作可能なものとする態様を採用してもよい。この場合、転写ヘッド全体が本発明の「首振部材」として機能し、転写具本体が本発明の「支持部材」として機能する。なお、転写具自体が、転写具本体に対してテープ等を詰替可能な詰替タイプではなく、転写具本体に対してテープ等を詰替不能な使い捨てタイプのものであっても構わない。
【００４６】
また、弾性付勢機構が、首振部材を中立位置に位置付けた場合には当該首振部材に接触せず、首振部材がテープの巾方向に首振動作した場合にのみ当該首振部材に接触して押圧されることにより中立位置へ復帰させる付勢力を蓄積しながら弾性変形する弾性変形部（例えばコイルバネやゴム等）を備えたものであってもよい。さらに、弾性変形部が支持部材とは別体のものであっても構わない。
【００４７】
また、弾性変形部が、首振部材に一体又は一体的に設けられ、首振部材がテープの巾方向に首振動作した場合に、支持部材に接触して押圧されることにより中立位置へ復帰させる付勢力を蓄積しながら弾性変形するものであってもよい。
【００４８】
また、転写物として、粘着剤や接着剤を適用しても勿論構わない。
【００４９】
その他、各部の具体的構成についても上記実施形態に限られるものではなく、本発明の趣旨を逸脱しない範囲で種々変形が可能である。
【図面の簡単な説明】
【００５０】
【図１】本発明の一実施形態に係る転写具を一部省略して模式的に示す平面図。
【図２】同側面図。
【図３】同実施形態に係る転写具においてテープの詰替作業時の状態を図２に対応させて示す図。
【図４】同実施形態に係る転写ヘッドの側面図。
【図５】同実施形態に係る転写ヘッドの分解図を一部省略して模式的に示す図。
【図６】図４のｘ方向矢視図を模式的に示す図。
【図７】図６のｙ―ｙ線断面図。
【図８】同実施形態に係る転写ヘッドを第１首振位置に位置付けた状態を図６に対応させて示す図。
【図９】同実施形態に係る転写ヘッドを第２首振位置に位置付けた状態を図６に対応させて示す図。
【図１０】同実施形態において転写ヘッドの先端縁を転写対象面に押し付けた状態を図７に対応させて示す図。
【図１１】図１０のｚ―ｚ線断面図。
【図１２】同実施形態に係る転写ヘッドを第１首振位置に位置付けた状態を図１１に対応させて示す図。
【図１３】同実施形態に係る転写ヘッドを第２首振位置に位置付けた状態を図１１に対応させて示す図。
【符号の説明】
【００５１】
１…転写具
２…転写具本体
３…転写ヘッド
３１…首振部材（ヘッド本体）
３１２…押圧部
３１２ａ…押圧面
３１Ｔ…先端縁
３２…支持部材（ヘッド取付部）
３２２ｂＹ…被押圧面（下向面）
４…弾性付勢機構
４１…弾性変形部
Ａ…首振軸
Ｔ…テープ
Ｐ…転写対象面
Ｖ…仮想面
（Ｎ）…中立位置
【図１】
2008265065.tif 000003
【図２】
2008265065.tif 000004
【図３】
2008265065.tif 000005
【図４】
2008265065.tif 000006
【図５】
2008265065.tif 000007
【図６】
2008265065.tif 000008
【図７】
2008265065.tif 000009
【図８】
2008265065.tif 000010
【図９】
2008265065.tif 000011
【図１０】
2008265065.tif 000012
【図１１】
2008265065.tif 000013
【図１２】
2008265065.tif 000014
【図１３】
2008265065.tif 000015